(57)【要約】      （修正有）【課題】装置パネルの汚れを低減してパネル交換や消火栓扉の窓の清掃などの維持管理の手間とコストを低減する。【解決手段】消火器扉２８を備えた筐体１２内に消火器を収納したトンネル消火器装置１０について、トンネル内車両進行方向の上流側に位置する消火器扉２８の扉面に、側方からの気流Ａを扉表面から離れる方向Ｂに偏向させる三角フィン７０を縦方向に配置する。消火器扉２８は内部を視認可能な透光板を設けており、三角フィン７０は透光板の高さに対応して側方に配置される。【選択図】図５
2010029415.tif 000002
【特許請求の範囲】
【請求項１】
消火器扉を備えた筐体内に消火器を収納したトンネル消火器装置に於いて、
トンネル内車両進行方向の上流側に位置する筐体表面に、側方からの気流を筐体表面から離れる方向に偏向させるフィンを縦方向に配置したことを特徴とするトンネル消火器装置。
【請求項２】
請求項１記載のトンネル消火器装置に於いて、前記フィンを前記消火器扉の扉面又は扉枠面に配置し、前記消火器扉は内部を視認可能な透光板を備え、前記フィンは前記透光板の高さに対応して側方に配置されたことを特徴とするトンネル消火器装置。
【請求項３】
消火器扉を備えた筐体内に消火器を収納したトンネル消火器装置に於いて、
トンネル内車両進行方向の上流側に位置する前記消火器扉の扉面を、側方からの気流を装置表面から離れる方向に偏向させる山形の張出し形状に形成したことを特徴とするトンネル消火器装置。
【請求項４】
請求項３記載のトンネル消火器装置に於いて、前記消火器扉は内部を視認可能な透光板を備えたことを特徴とするトンネル消火器装置。
【請求項５】
消火器扉を備えた筐体内に消火器を収納したトンネル消火器装置に於いて、
トンネル内車両進行方向の上流側に位置する前記消火器扉の扉枠に、側方からの気流を装置表面から離れる方向に偏向させる窪みを形成したことを特徴とするトンネル消火器装置。
【請求項６】
消火器扉を備えた筐体内に消火器を収納したトンネル消火器装置に於いて、
前記消火器扉に設けられて内部を視認可能な透光板と、
扉面に対する気流により作動して前記透光板の表面を払拭する払拭部材と、
を備えたことを特徴とするトンネル消火器装置。
【請求項７】
請求項６記載のトンネル消火器装置に於いて、前記払拭部材は、前記透光板の上部に下向きに垂らして並べた複数の吹流しであることを特徴とするトンネル消火器装置。
【請求項８】
請求項６記載のトンネル消火器装置に於いて、前記払拭部材は、トンネル内車両進行方向の上流側に位置する前記透光板の側方に、横向きに並べて配置した複数の吹流しであることを特徴とするトンネル消火器装置。
【請求項９】
請求項６記載のトンネル消火器装置に於いて、前記払拭部材は、前記透光板の板面に扉表面に対する気流により回転するブラシ付きの風車であることを特徴とするトンネル消火器装置。
【請求項１０】
請求項６記載のトンネル消火器装置に於いて、前記払拭部材は、前記透光板の板面に扉表面に対する気流により回転する吹流しであることを特徴とするトンネル消火器装置。
【請求項１１】
請求項１乃至１０のいずれかに記載のトンネル消火器装置に於いて、消火栓扉を備えた筐体内にノズル付きホースを引き出し自在に収納したトンネル消火栓装置と一体化したことを特徴とするトンネル消火器装置。
【請求項１２】
請求項１１記載のトンネル消火器装置に於いて、前記トンネル消火栓装置の筐体前面に配置する化粧板を、複数の化粧分割パネルで構成したことを特徴とするトンネル消火器装置。
【発明の詳細な説明】
【技術分野】
【０００１】
本発明は、トンネル内に設置され、火災時に使用するノズル付きホースに加え消火器を収納したトンネル消火器装置に関する。
【背景技術】
【０００２】
従来、高速道路や自動車専用道路などのトンネルに設置されるトンネル消火栓装置は、開放自在な消火栓扉を備えた筐体内に、ノズル付きホースとバルブ類を収納し、更に、開閉自在な消火器扉を備えた消火器収納部に例えば２本の消火器を収納している。
【０００３】
このようなトンネル消火栓装置は、トンネル内の側壁に沿って例えば５０メートル間隔で設置されており、火災時には、筐体前面の消火栓扉を開いてノズル付きのホースを引き出し、消火栓開閉レバーを開位置に操作して消火用水をノズルから放出するようにしている。また、消火栓扉の横に配置されている消火器扉を開き、中に収納されている消火器を取り出して消火薬剤を放出することができる。
【特許文献１】特開２００５−３１８９７２号公報
【発明の開示】
【発明が解決しようとする課題】
【０００４】
しかしながら、このような従来のトンネル消火栓装置にあっては、例えばトンネル施工が完了した段階で、５０メートル間隔で設置されているトンネル消火栓装置に正しく消火器が収納されていることを確認する作業を行っており、従来は、担当者が一台ずつ消火器扉を開けて、消火器が収納されていることを確認する作業を行っており、数キロを越えるような長いトンネルの場合には、消火器の確認に手間と時間がかかるという問題がある。
【０００５】
この問題を解消するため消火栓扉に内部を視認可能とする透光板による窓を設けることが提案されている。しかし、消火栓扉に窓を設けた場合、装置パネルが車両の通行による砂埃で窓が汚れ、窓の汚れを落とすために頻繁に清掃作業を必要とするという問題がある。
【０００６】
また、トンネル消火栓装置にあっては、装置パネルが車両の通行による砂埃で汚れ、汚れによる腐食が進行した場合には、装置パネルを交換する必要があり、維持管理に手間と費用がかかるという問題がある。
【０００７】
本発明は、装置パネルの汚れを低減してパネル交換や消火栓扉の窓の清掃などの維持管理の手間とコストを低減するトンネル消火器装置を提供することを目的とする。
【課題を解決するための手段】
【０００８】
本発明は、消火器扉を備えた筐体内に消火器を収納したトンネル消火器装置において、トンネル内車両進行方向の上流側に位置する筐体表面に、側方からの気流を筐体表面から離れる方向に偏向させるフィンを縦方向に配置したことを特徴とする。
【０００９】
ここで、フィンを消火器扉の扉面又は扉枠面に配置し、消火器扉は内部を視認可能な透光板を備え、フィンは透光板の高さに対応して側方に配置される。
【００１０】
本発明の別の形態にあっては、消火器扉を備えた筐体内に消火器を収納したトンネル消火器装置に於いて、トンネル内車両進行方向の上流側に位置する消火器扉の扉面に、側方からの気流を装置表面から離れる方向に偏向させる山形の張出し形状を形成したことを特徴とする。
【００１１】
本発明の別の形態にあっては、トンネル内車両進行方向の上流側に位置する消火器扉の扉枠に、側方からの気流を装置表面から離れる方向に偏向させる窪みを形成したことを特徴とする。
【００１２】
本発明の別の形態にあっては、消火器扉を備えた筐体内に消火器を収納したトンネル消火器装置に於いて、
消火器扉に設けられて内部を視認可能な透光板と、
扉表面に対する気流により作動して反射部材の表面を払拭する払拭部材と、
を備えたことを特徴とする。
【００１３】
ここで、払拭部材は、透光板の上部に下向きに垂らして並べた複数の吹流しである。また、払拭部材は、トンネル内車両進行方向の上流側に位置する透光板の側方に、横向きに並べて配置した複数の吹流しであっても良い。
【００１４】
また、払拭部材は、透光板の板面に扉表面に対する気流により回転するブラシ付きの風車とする。更に、払拭部材は、透光板の板面に扉表面に対する気流により回転する吹流しとしても良い。
【００１５】
本発明のトンネル消火器装置に於いて、消火栓扉を備えた筐体内にノズル付きホースを引き出し自在に収納したトンネル消火栓装置と一体化したものを含む。
【００１６】
更に、トンネル消火栓装置の筐体前面に配置する化粧板を、複数の化粧分割パネルで構成し、損傷部分のみを交換可能とする。
【発明の効果】
【００１７】
本発明によれば、トンネル内車両進行方向の上流側に位置する消火器扉の扉面に、フィンを設けたことにより、車両の通行による砂埃は気流によってフィンに当った際に、フィンの手前に溜まり、またフィンを越えた気流は扉面から離れる方向に偏向され、扉面から離れる方向に向かって流れ、扉面を含む装置パネルに付着しづらくなり、その汚れの度合いはフィンを設けなかった場合の略３分の１に低減することができる。更に、装置パネルに対する埃などの付着が抑制されることで、装置パネルの腐食の進行が遅くなり、交換する頻度が低減し、相対的に装置寿命を延ばすことができる。
【００１８】
このような装置パネルに対する汚れの低減による効果は消火器扉に張出し部を形成した場合も同様であり、更に、張出し部を扉面に形成した場合には、往復車線がトンネル内を通っている対面通行時の逆風による扉誤開放を防ぐこともできる。
【００１９】
更に、消火栓扉に内部を視認可能とする透光板を設けた場合、透光板に対し車両進行方向に流れているトンネル内の気流による吹流しなどの払拭部材の動きで透光板の表面に付着した砂埃が払拭され、透光板を扉に設けていても清掃作業を頻繁に行うことなく、その視認性を継続して維持することができる。
【発明を実施するための最良の形態】
【００２０】
図１は本発明による消火器収納部を一体に備えたトンネル消火栓装置の実施形態を示した説明図である。
【００２１】
図１において、トンネル消火栓装置１０は前方に開いた箱型の筐体１２を架台１４上に設置し、筐体１２の前面には化粧板１５が装着され、化粧板１５の左側の扉開口部に下側のヒンジ５８により前方に倒れるように開閉自在な消火栓扉１６が設けられている。
【００２２】
消火栓扉１６は扉ハンドル１８を有し、扉ハンドル１８を手前に引くと、その自重により前方に倒れるように開く。消火栓扉１６の内部には、後の説明で明らかにするように、ノズル付ホースが収納されている。
【００２３】
消火栓扉１６の上部にはヒンジ５９により上向に開閉自在な保守扉１７が設けられ、消火栓扉１６を開いて内側のロックを外すことにより内部機器の点検調整のために開くことができる。
【００２４】
消火栓扉１６の左側には通報装置扉２０が設けられ、通報装置扉２０には赤色表示灯２２、手動発信機２４及び応答ランプ２６が設けられている。トンネル内での火災事故の際には、手動発信機２４のボタン操作により監視室などに異常通報ができ、火災通報が行われると応答ランプ２６が点灯する。
【００２５】
通報表示扉２０の左側には消火器扉２８が左側のヒンジ３４により開閉自在に設けられている。消火器扉２８は右側に扉ハンドル３５を有し、この実施形態にあっては、扉面の下側ほぼ半分に形成した開口部に透光板３０を配置し、外部から消火器扉２８の内部、即ち筐体１２に収納された消火器が見えるようにしている。
【００２６】
透光板３０としては、ガラス板、透明合成樹脂板などを使用することができる。ガラス板を使用した場合には、トンネル内の車両走行に伴う落下物などの衝突による破損・飛散を防ぐため、ガラス板の内側に飛散防止用の透明シートを貼っている。もちろんガラス板として、破損した場合にも飛散することのない網線入りガラスや衝撃に強い強化ガラスを使用してもよい。
【００２７】
消火器扉２８の内側の消火器収納部には所定の薬剤重量を持った消火器３２が２本収納されており、本実施形態にあっては消火器扉２８に透光板３０を設けていることから、透光板３０を介して内部に収納している消火器を見ることができる。
【００２８】
図２は図１の消火栓扉１６、保守扉１７及び消火器扉２８を外して内部構造を示した説明図である。筐体１２の内部にはホース格納部４０及びバルブ格納部４２が設けられている。ホース格納部４０にはＵ字型の支持アーム４４とホース収納枠４６が設けられ、保形タイプのホース４８を内巻き状態で収納している。
【００２９】
支持アーム４４は、上部で筐体に固定支持されたＵ字型のパイプ部材を使用している。またホース収納枠４６は、ほぼ中央外側から横及び背後に矩形に形成され上下に開口した枠体であり、ホース収納枠４６内にホース４８が内巻きした状態で収納されている。
【００３０】
ホース収納枠４６に内巻き状態で収納されたホース４８は、右側のバルブ類格納部４２に設けている給水管から消火用水の供給を受ける。バルブ類格納部４２には給水接続口５０に続いて消火栓弁５２、自動排水弁５４及び自動調圧弁５６が設けられ、自動調圧弁５６の２次側の配管をホース４８に接続している。
【００３１】
消火栓弁５２は消火栓扉の内側に設けている消火栓弁開閉レバーとワイヤ接続されており、レバー操作に従って弁の開閉を行うことができる。自動排水弁５４は通常時にあっては２次側を排水するようにしている。自動調圧弁５６は放水時にホース４８側からの放水圧力を規定圧に自動調整する。
【００３２】
図３は図１の実施形態の消火栓扉１６を開いた状態で平面的に見た内部構造の説明図である。図３において、消火栓扉１６は筐体１２に対しヒンジ５８により開閉自在に取り付けられており、消火栓扉１６と筐体１２との間には緩衝用ダンパ５８が設けられ、消火栓扉１６を滑らかに開放できるようにしている。
【００３３】
消火栓扉１６の内側の右側部分には消火栓弁開閉レバー６４が設けられ、消火栓弁開閉レバー６４を手前に操作することで、ワイヤで連結された図２の消火栓弁５２を放水位置に切り替えることができる。このとき、図示しないレバーの下部に設けているポンプ起動用の連動スイッチがオンし、消火ポンプ設備のポンプ起動を行うようになる。
【００３４】
ノズル６０からの放水を停止したい場合には、消火栓弁開閉レバー６４を図示の初期位置に戻す。この初期位置への戻しにより、ワイヤ連結されている消火栓弁５２の給水が停止される。同時に、レバー下部の図示しないスイッチがオフとなって消火ポンプ設備を停止できる状態となる。
【００３５】
図４は図３の消火栓扉１６の開放状態の側面図であり、筐体１２に対し下側を軸に手前に倒すように消火栓扉１６を開いており、開いた状態で上面となる消火栓扉１６に消火栓弁開閉レバー６４が設けられ、ノズル付きホース４８を引き出した状態で消火栓弁開閉レバー６４を手前に引くことで、消火ポンプを遠隔起動して加圧消火用水をノズルから放射できる。
【００３６】
図５は図１の実施形態における三角フィンの位置と作用を示した平面図である。図５において、トンネル消火栓装置１０の筐体１２の前面に配置した化粧板１５の扉開口部には、左側から消火器扉２８と消火栓扉１６が設けられている。
【００３７】
消火器扉２８については、トンネル内車両進行方向（図の右方向）の上流側に位置する扉面の位置に、図１に示したように透光板３０の高さに対応して縦方向に三角フィン７０が配置されている。
【００３８】
消火器扉２８に設ける三角フィン７０は、図６に取り出して示す構造を有する。図６（Ａ）は三角フィン７０の平面図、図６（Ｂ）は正面図、図６（Ｃ）は側面図、図６（Ｄ）は底面図を示している。
【００３９】
図６に示す三角フィン７０は、例えば９０°の角度を持って山型に形成されたルーフ部７２の底部側に２箇所に分けて取付部７４を固定しており、取付部７４には消火器扉２８に固定するための取付ネジ穴７６が設けられている。三角フィン７０としては、金属製、合成樹脂性などの適宜の板部材で構成することができる。
【００４０】
このような三角フィン７０を消火器扉２８に取り付けた図５のトンネル消火栓装置にあっては、トンネル内に設置している送風ファン及び図示で右方向となる車両進行方向における車両の走行に伴い、トンネル消火栓装置１０に対し矢印Ａに示す方向から気流を受けており、この気流により、車の走行に伴う砂埃がトンネル消火栓装置１０に当たることになる。
【００４１】
このようなＡ方向からの気流に対し、本実施形態にあっては、消火器扉２８の左側に三角フィン７０を配置しているため、矢印Ａ方向の気流は三角フィン７０に当たり、矢印Ｂに示すように消火器扉２８から離れる方向に偏向される。
【００４２】
このため矢印Ａ方向の気流により運ばれてきた砂埃は、三角フィン７０に当たった際に三角フィン７０の左側に溜まり、それ以外の砂埃については、矢印Ｂに示すように消火器扉２８から離れる方向に流れる気流によって運ばれ、三角フィン７０を設けたことで、消火器扉２８及び消火栓扉１６の扉面を含む化粧板１５に対する砂埃の付着を大幅に低減することができる。
【００４３】
このトンネル消火栓装置１０のパネル面即ち扉面を含む化粧板１５に対する汚れの付着度合を実験的に確認したところ、三角フィン７０を設けていない場合に比べ、三角フィン７０を設けたことでパネル面に付着する汚れの度合を約３０％に軽減できることが確認されている。
【００４４】
特に本実施形態にあっては、図１に示したように、消火器扉２８には内部を確認するための透光板３０が設けられており、この透光板３０の左側に縦方向に三角フィン７０が配置されているため、透光板３０に対する埃の付着が大幅に低減され、透光板３０に付着した汚れの清掃を頻繁に繰り返すことなく、長期間に亘って透光板３０の汚れを低減し、安定して透光板３０を介して内部に収納している消火器の外部からの確認が可能となる。
【００４５】
図７は消火器扉に半円フィンを設けた本発明の他の実施形態を示した平面図である。図７において、トンネル消火栓装置１０の消火器扉２８のトンネル内車両進行方向（右方向）の上流側に位置する扉面には、この実施形態にあっては、半円フィン７８を縦方向に配置している。
【００４６】
図８は図７の半円フィン７８の構造を示している。図８（Ａ）は平面図、図８（Ｂ）は正面図、図８（Ｃ）は側面図、図８（Ｄ）は底面図である。
【００４７】
図８において、半円フィン７８は前方に半円状に張り出した半円ルーフ部８０を持ち、その裏側に２箇所に分けて取付部８２を固定しており、取付部８２には取付ネジ穴８４が設けられている。
【００４８】
この図８に示すような半円フィン７８を、図７に示すように消火器扉２８の左側縦方向に配置することで、トンネル内に設けている送風ファン及び車両の走行に伴う気流を矢印Ａ方向から受けるが、この矢印Ａ方向からの気流は、消火器扉２８の左側に配置している半円フィン７８に当たり、矢印Ｂに示すように扉面から離れる方向に偏向される。
【００４９】
このため、矢印Ａで示す気流により運ばれてきた砂埃は半円フィン７８に当たって、その左側に溜まり、残りの砂埃は矢印Ｂに示す気流によって扉面から離れる方向に運ばれ、これによってトンネル消火栓装置１０に設けている消火器扉２８及び消火栓扉１６の扉面を含む化粧板１５即ち装置パネル面に対する砂埃の付着を、図５の三角フィン７０の場合と同様、大幅に低減し、特に消火器扉２８に設けている透光板３０に対する汚れの付着を防止し、内部に収納している消火器を安定して確認することができる。
【００５０】
図９は三角フィンを消火器扉の高さに亘って配置した本発明の他の実施形態を示した説明図である。図９において、トンネル消火栓装置１０の左側に設けている消火器扉２８におけるトンネル内車両進行方向の上流側に位置する左側には、消火器扉２８の高さにほぼ一致する長さの三角フィン７０を縦方向に配置している。三角フィン７０は図６に示した構造であり、その長さが消火器扉２８の高さに対応した長さとなっている。
【００５１】
このように三角フィン７０を消火器扉２８の高さに亘って配置することで、消火器扉２８の下側に設けている透光板３０に対する汚れの付着のみならず、三角フィン７０の右側に位置している消火器扉２８の扉面、通報装置扉２０に設けている赤色表示灯２２や応答ランプ２６、更には消火栓扉１６の扉面に対し側方からの気流を扉面から離れる方向に偏向し、装置パネル面全体に対する埃の付着を低減することができる。
【００５２】
ここで図９のように消火器扉２８の高さに亘って三角フィン７０を配置した場合、例えば扉面に対し左側斜め１０°方向から見た場合の赤色表示灯２２の視認性が、三角フィン７０を設けたことにより阻害される可能性がある。
【００５３】
このような左側方から三角フィン７０を介して赤色表示灯２２などを見る場合の視認性を高めるため、三角フィン７０が樹脂製の場合には透明樹脂を使用し、三角フィン７０を設けていても、側方から見た場合の赤色表示灯２２の視認性が妨げられないようにする。
【００５４】
また三角フィン７０として金属性のものを使用した場合には、三角フィン７０の途中複数個所に横方向の切込み（スリット）を入れ、切込みを介して赤色表示灯２２を側方から視認できるようにする必要がある。
【００５５】
図１０は消火器扉に張出し部を形成した本発明の他の実施形態を示した説明図である。図１０において、トンネル消火栓装置１０は基本的には図１の実施形態と同じであるが、化粧板１５の左側の扉開口部に設けている消火器扉２８のトンネル内車両進行方向の上流側、即ち左側に山型の張出し形状を持つ張出し部８６を形成している。
【００５６】
図１１は図１０の実施形態における張出し部８６の位置と作用を示した平面図である。図１１において、トンネル消火栓装置１０の前面左側に配置している消火器扉２８は、トンネル内車両進行方向（右方向）の上流側となる扉左側位置に、前方にほぼ山型に張り出した張出し部８６を形成した扉形状としている。
【００５７】
このような張出し部８６を持った消火器扉２８を設けたことで、トンネル内に設置している送風ファン及び車両の進行に伴う矢印Ａ方向からの気流は消火器扉２８の張出し部８６に当たり、矢印Ｂに示すように扉面から離れる方向に偏向される。
【００５８】
このため、張出し部８６に気流に乗って当たった砂埃は張出し部８６の左側に溜まり、残りの砂埃は矢印Ｂで示す気流に乗って扉面から離れる方向に運ばれ、これによって消火器扉２８の扉面及び消火栓扉１６の扉面、更に化粧板１５の前面を含む操作パネルに対する汚れの付着を大幅に低減することができる。
【００５９】
ここで消火器扉２８の張出し部８６の右側部分の化粧板１５の面に対する張出し角度は、赤色表示灯２２の１０°方向からの視認性を確保するため、１０°以下の傾斜角で張出し部８６に至るようにしている。また張出し部８６の張出し量についても、赤色表示灯２２の１０°方向からの視認性を損なわない程度の張出し量としている。
【００６０】
更に図１１の張出し部８６を備えた消火器扉２８にあっては、同じトンネル内に往復車線が設けられている対面通行トンネルに設置した場合、逆方向からの車両走行に伴う矢印Ｃで示す気流が張出し部８６の右側の傾斜面に当たり、これによってヒンジ３４により左回りに開く消火器扉２８を閉鎖、方向即ち筐体１２側に押し付ける方向に力が加わることとなり、これによって矢印Ｃ方向からの逆風による消火器扉２８の誤開放を確実に防止することができる。
【００６１】
図１２は消火器扉の枠部分に窪みを形成した本発明の他の実施形態を示した説明図である。図１２において、トンネル消火栓装置１０は基本的には図１の実施形態と同じであるが、化粧板１５の左側の扉開口部に設けている消火器扉２８のトンネル内車両進行方向の上流側、即ち左側の扉枠となる化粧板１５の部分に、平面から見て円弧状の窪み８７を形成している。
【００６２】
このように消火器扉２８の扉枠の位置に窪み８７を設けたことで、トンネル内に設置している送風ファン及び車両の進行に伴う矢印Ａ方向からの気流は窪み８７に沿って流れることで、矢印Ｂに示すように扉面から離れる方向に偏向される。
【００６３】
このため、気流に乗って当たった砂埃は窪み８７に溜まり、残りの砂埃は矢印Ｂで示す気流に乗って扉面から離れる方向に運ばれ、これによって消火器扉２８の扉面及び消火栓扉１６の扉面、更に化粧板１５の前面を含む操作パネルに対する汚れの付着を大幅に低減することができる。
【００６４】
図１３は消火器扉の透光板に対し縦向きに吹流しを設けた本発明の他の実施形態を示した説明図である。図１３において、トンネル消火栓装置１０の左側に設けている消火器扉２８の下部には透光板３０が設けられているが、この透光板３０の上部に固定部９０を持つ吹流し８８を払拭部材として設けている。
【００６５】
吹流し８８は、気流を受けた際に容易に動いて透光板３０の表面を擦って汚れを払拭するビニールテープ、ビニール紐、布テープ、布紐など、適宜の吹流し素材を使用する。このような吹流し８８を透光板３０に対し上から下に垂らして配置している。
【００６６】
このためトンネル内の送風ファン及び車両の走行によりトンネル消火栓装置１０に対し左方向から右方向に向かう気流を受けた時、吹流し８８が気流により左右に揺れ動き、これによって透光板３０の板面を払拭し、透光板３０に付着しようとする砂埃を払拭すると同時に、既に付着している汚れを取り除くことができ、透光板３０の汚れを大幅に低減することができる。
【００６７】
なお吹流し８８を透光板３０の前に垂らすことで、内部の消火器を見る際の視認性が低下するが、吹流し８８として細い紐を使用していれば、遠くから十分に離れて見れば吹流し８８はほとんど視認できず、透光板３０による内部の消火器の状態の確認はほとんど妨げられることはない。
【００６８】
図１４は消火器扉の透光板に対し吹流しを横向きに設けた本発明の他の実施形態を示した説明図である。図１４において、トンネル消火栓装置１０の左側の消火器扉２８には透光板３０が設けられ、透光板３０の左側即ちトンネル内車両進行方向の上流側となる気流を受ける側に、固定部９０により複数本の吹流し８８を横向きに設けている。
【００６９】
図１５は図１４の実施形態につき、トンネル内の送風ファン及び車両の走行に伴い矢印Ａで示す方向から気流を受けた場合であり、この気流により吹流し８８は透光板３０の板面を擦るように揺れ動き、透光板３０に対する汚れの付着を払拭作用により低減することができる。
【００７０】
図１６は消火器扉の透光板に対しブラシ付きの風車を設けた本発明の他の実施形態を示した説明図である。図１６において、トンネル消火栓装置１０の消火器扉２８の下側に設けている透光板３０には、回転軸部９４により回転自在にブラシ付き風車９２が設けられている。
【００７１】
ブラシ付き風車９２は回転軸部９４に対し湾曲した４枚の薄いプレートを十字状に固定し、このプレートの下側にブラシを植え込んでおり、湾曲プレートに矢印Ａ方向から風が当たると、ブラシ付き風車９２は例えば左回転し、この回転により透光板３０の表面をブラシにより払拭し、汚れを抑制・除去することができる。
【００７２】
図１７は消火器扉の透光板に対し回転吹流しを設けた本発明の他の実施形態を示した説明図である。図１７において、トンネル消火栓装置１０の消火器扉２８の下側に設けた透光板３０には、回転軸部９６により回転吹流し９８が設けられており、矢印Ａ方向から示す気流を受けた際に、回転吹流し９８は例えば左回りに回転し、透光板３０の汚れの払拭と付着抑制をすることができる。
【００７３】
図１８は図１７の回転吹流しの組立分解図である。図１８において、透光板３０のほぼ中央には軸固定部９６ｂが設けられ、この軸固定部９６ｂのネジ穴に対し、通し穴を備えた回転軸９６ａが取付ビス９６ｃの挿入によるねじ込みで回転自在に取り付けられ、回転軸部９６を構成している。
【００７４】
回転軸９６ａには回転吹流し９８の一端が固定されている。回転吹流し９８としては、薄いビニールテープもしくはビニール紐を複数本束ねた素材であり、回転軸部９６に対する反対側を溶着部９３により固定している。
【００７５】
このような構造の回転吹流し９６を図１７に示すように透光板３０に設けておくことで、車両の進行などに伴う矢印Ａ方向からの気流を受けて回転吹流し９６がランダムに回転し、これによって、透光板３０に対する汚れを払拭すると同時に付着を抑制することができる。
【００７６】
図１９はトンネル内に単独で設置されるトンネル消火器装置１００を対象とした本発明の他の実施形態を示した説明図である。
【００７７】
即ち図１に示した消火器収納部を一体に備えたトンネル消火栓装置１０は通行量が多いトンネルに設置されるものであるが、通行量が少ないトンネルや、通行量が多くても距離の短いトンネルについては、図１９のようなトンネル消火器装置（消火器ボックス）１００が設置される。
【００７８】
このようなトンネル消火器装置１００についても、例えば図１の実施形態と同様、消火器扉２８は右側に扉ハンドル３５を有し、扉面の下側ほぼ半分に形成した開口部に透光板３０を配置し、外部から消火器扉２８の内部に収納された消火器３２が見えるようにしている。
【００７９】
透光板３０としては、ガラス板、透明合成樹脂板などを使用することができる。ガラス板を使用した場合には、トンネル内の車両走行に伴う落下物などの衝突による破損・飛散を防ぐために、ガラス板の内側に飛散防止用の透明シートを貼っている。
【００８０】
消火器扉２８の内部には所定の薬剤重量を持った消火器３２が２本収納されており、透光板３０を介して、内部に実装されている消火器３２を見ることができる。
【００８１】
透光板３０におけるトンネル内車両進行方向（図の右方向）の上流側に位置する消火器扉２８の扉面には、側方からの気流を扉正面から離れる方向に偏向させるための三角フィン７０を縦方向に配置している。
【００８２】
このような三角フィン７０を配置したことで、右方向から気流を受けて砂埃が当たっても、三角フィン７０の左側に溜まり、それ以外の砂埃については、三角フィン７０による気流の扉面から離れる方向への偏向により、扉面に付着することなく通過し、これによって透光板３０に対する汚れの付着を大幅に低減することができる。
【００８３】
このトンネル消火器装置１００についても、三角フィン７０以外に、図７に示した半円フィン７８、図９に示した扉高さに亘る三角フィン７０、図１０に示した張出し部８６を備えた扉構造、図１２に示した扉枠の窪み８７、図１３または図１４の吹流し８８、図１６のブラシ付き風車９２、あるいは図１７の回転吹流し９８を同様に適用してもよい。
【００８４】
図２０は化粧板を分割構造により細分化した本発明の他の実施形態を示した説明図である。図２０において、筐体１２の前面に設置される化粧板は、扉開口部１０２，１０４を２箇所に分けて形成するように、この実施形態では左右・上下・中央の５枚の化粧パネル１５−１〜１５−５に分割されて配置されている。
【００８５】
このような化粧板の分割構造によれば、汚れの付着による腐食などが生じた化粧パネルの部分だけを交換すればよく、１枚部材として付けられた化粧板に比べ、部分交換で済むことから、装置の長寿命化を達成し、トータル的な運用コストを低減することができる。
【００８６】
なお上記の実施形態にあっては、消火器扉に内部を視認するための透光板３０を設けた場合を例に取るものであったが、透光板３０を設けていない消火器扉についても同様に、汚れ防止のためにフィンや張出し部を配置するようにしてもよい。
【００８７】
また上記の実施形態にあっては、消火器扉２８の下側に矩形の透光板３０を設けた場合を例に取っているが、内部の消火器を見ることのできる位置及び大きさであれば、適宜の形状とサイズ例えば丸窓の透光板としてもよいことはもちろんである。
【００８８】
また、上記の実施形態のフィンや窪みは消火器扉に設けているが、これに限らず、消火器扉よりも上流側の筐体表面（化粧板）に設けても良い。
【００８９】
また、フィンは着脱自在にしても良く、例えばマグネットにより、気流の方向によって最も効果の出る位置に移動して取付けできるようにしても良い。
【００９０】
また本発明は、その目的と利点を損なうことのない適宜の変形を含み、更に上記の実施形態に示した数値による限定は受けない。
＋
【図面の簡単な説明】
【００９１】
【図１】本発明によるトンネル消火栓装置の実施形態を示した説明図
【図２】図１の扉を外して内部構造を示した説明図
【図３】図１の消火栓扉を開いた状態で内部構造を示した平面図
【図４】図３の側面図
【図５】図１の実施形態における三角フィンの位置と作用を示した平面図
【図６】図５の三角フィンを取り出して示した説明図
【図７】消火器扉に半円フィンを設けた本発明の他の実施形態を示した平面図
【図８】図７の半円フィンを取り出して示した説明図
【図９】三角フィンを消火器扉の高さに亘った配置した本発明の他の実施形態を示した説明図
【図１０】消火器扉に張出し部を形成した本発明の他の実施形態を示した説明図
【図１１】図１０の実施形態における張出し部の位置と作用を示した平面図
【図１２】消火器扉の扉枠に窪みを形成した本発明の他の実施形態を示した説明図
【図１３】消火器扉の透光板に対し縦向きに吹流しを設けた本発明の他の実施形態を示した説明図
【図１４】消火器扉の透光板に対し横向きに吹流しを設けた本発明の他の実施形態を示した説明図
【図１５】気流を受けたときの吹流しにより透光板を払拭する動きを示した説明図
【図１６】消火器扉の透光板に対しブラシ付きの風車を設けた本発明の他の実施形態を示した説明図
【図１７】消火器扉の透光板に対し回転吹流しを設けた本発明の他の実施形態を示した説明図
【図１８】図１７の回転吹流しの組み立て分解図
【図１９】トンネル消火器装置を対象とした本発明の他の実施形態を示した説明図
【図２０】化粧板を分割パネル構造とした本発明の他の実施形態を示した説明図
【符号の説明】
【００９２】
１０：トンネル消火栓装置
１２：筐体
１４：架台
１５：化粧板
１５−１〜１５−５：化粧分割パネル
１６：消火栓扉
１７：保守扉
１８，３５：扉ハンドル
２０：通報装置扉
２２：赤色表示灯
２４：手動発信機
２６：応答ランプ
２８：消火器扉
３０：透光板
３２：消火器
３４，５８：ヒンジ
３６：消火器収納部
４０：ホース収納部
４２：バルブ類収納部
４４：支持アーム
４６：ホース収納枠
４８：ホース
５０：給水接続口
５２：消火栓弁
５４：自動排水弁
５６：自動調圧弁
６０：ノズル
６２：ホースガイド
６４：消火栓弁開閉レバー
７０：三角フィン
７２：ルーフ部
７４，８２：取付部
７６，８４：取付ネジ穴
７８：半円フィン
８０：半円ルーフ部
８６：張出し部
８７：窪み
８８：吹流し
９０：固定部
９２：ブラシ付き風車
９４，９８：回転軸部
９６：回転吹流し
１００：トンネル消火器装置
１０２，１０４：扉開口部
【図１】
2010029415.tif 000003
【図２】
2010029415.tif 000004
【図３】
2010029415.tif 000005
【図４】
2010029415.tif 000006
【図５】
2010029415.tif 000007
【図６】
2010029415.tif 000008
【図７】
2010029415.tif 000009
【図８】
2010029415.tif 000010
【図９】
2010029415.tif 000011
【図１０】
2010029415.tif 000012
【図１１】
2010029415.tif 000013
【図１２】
2010029415.tif 000014
【図１３】
2010029415.tif 000015
【図１４】
2010029415.tif 000016
【図１５】
2010029415.tif 000017
【図１６】
2010029415.tif 000018
【図１７】
2010029415.tif 000019
【図１８】
2010029415.tif 000020
【図１９】
2010029415.tif 000021
【図２０】
2010029415.tif 000022